(57)【要約】【課題】商品等のカテゴリごとに適切なブランド辞書を作成すること。【解決手段】ネットワークを用いて商品またはサービス（以下、商品等）を販売するための販売画面に対して入力されたクエリの集合を取得する取得部と、前記取得されたクエリに含まれるテキストを、前記商品等のカテゴリに対応する規則で絞り込む絞込部と、前記絞込部による絞り込みの結果に基づいて、前記カテゴリごとのブランド辞書を作成する作成部と、を備えるブランド辞書作成装置。【選択図】図１
2019008425.tif 000002
【特許請求の範囲】
【請求項１】
ネットワークを用いて商品またはサービス（以下、商品等）を販売するための販売画面に対して入力されたクエリの集合を取得する取得部と、
前記取得されたクエリに含まれるテキストを、前記商品等のカテゴリに対応する規則で絞り込む絞込部と、
前記絞込部による絞り込みの結果に基づいて、前記カテゴリごとのブランド辞書を作成する作成部と、
を備えるブランド辞書作成装置。
【請求項２】
前記絞込部は、前記テキストごとに、クエリの中における出現位置ごとの出現数をカウントし、前記出現数に基づいて前記テキストを絞り込む、
請求項１記載のブランド辞書作成装置。
【請求項３】
前記商品等のカテゴリに対応する規則は、前記出現位置ごとの出現数に基づく規則である、
請求項２記載のブランド辞書作成装置。
【請求項４】
前記絞込部は、カテゴリがファッションであるブランド辞書を作成する場合、テキストがクエリの中において一番目に出現した出現数に着目して絞り込みを行う、
請求項２または３記載のブランド辞書作成装置。
【請求項５】
前記絞込部は、更に、対象期間におけるテキストの出現日数に基づいて、前記テキストの絞り込みを行う、
請求項１から４のうちいずれか１項記載のブランド辞書作成装置。
【請求項６】
コンピュータが、
ネットワークを用いて商品またはサービス（以下、商品等）を販売するための販売画面に対して入力されたクエリの集合を取得し、
前記取得されたクエリに含まれるテキストを、前記商品等のカテゴリに対応する規則で絞り込み、
前記絞り込みの結果に基づいて、前記カテゴリごとのブランド辞書を作成する、
ブランド辞書作成方法。
【請求項７】
コンピュータに、
ネットワークを用いて商品またはサービス（以下、商品等）を販売するための販売画面に対して入力されたクエリの集合を取得させ、
前記取得されたクエリに含まれるテキストを、前記商品等のカテゴリに対応する規則で絞り込ませ、
前記絞り込みの結果に基づいて、前記カテゴリごとのブランド辞書を作成させる、
プログラム。
【発明の詳細な説明】
【技術分野】
【０００１】
本発明は、ブランド辞書作成装置、ブランド辞書作成方法、およびプログラムに関する。
【背景技術】
【０００２】
所定の検索クエリと、コンテンツのカテゴリ毎の前記所定の検索クエリに対する対応度合いとを関連付けた情報が格納されるクエリカテゴリ辞書と、ユーザ端末から送信された過去の検索クエリを示す検索クエリ履歴を取得する検索履歴取得手段と、前記検索クエリ履歴を用いて、前記クエリカテゴリ辞書から、前記コンテンツのカテゴリ毎の前記過去の検索クエリに対する対応度合いを関連付けた情報を抽出し、抽出された前記情報に基づき、前記コンテンツのカテゴリに対するユーザ毎の嗜好性の対応度合いを示すユーザ特徴量を算出するユーザ特徴量算出手段と、ユーザ端末から送信された検索要求時の検索クエリに対応すると共にカテゴリに対応付けられたコンテンツを示す情報を含むコンテンツの検索結果を取得する検索結果取得手段と、前記ユーザ特徴量に基づき、前記コンテンツの検索結果を出力する出力手段とを備えるコンテンツ検索結果提供システムが知られている（特許文献１参照）。
【先行技術文献】
【特許文献】
【０００３】
【特許文献１】特開２０１６−１１０２６０号公報
【発明の概要】
【発明が解決しようとする課題】
【０００４】
ショッピングサイトなどで商品やサービス（以下、商品等）を検索するためにクエリが入力されることがある。検索ヒット数は、ショッピングサイトにおける商品等のランキングに影響する場合があるため、検索ヒット数を高くする目的で、タイトルや商品紹介欄に、その商品とは無関係な複数のブランド名を掲載することが行われている。このような行為は、過剰なＳＥＯ（Search Engine Optimization）あるいはブラックハットＳＥＯと称される。過剰なＳＥＯは、商品等の適正なランキング形成を妨げるものであるため、過剰なＳＥＯの目的で販売画面が構成された商品等を発見したいというニーズが存在する。過剰なＳＥＯが行われている商品等を発見するためには、ブランド名を集めた適切な辞書（ブランド辞書）を作成しておくことが望ましい。しかしながら、従来の技術では、商品等のカテゴリごとに適切なブランド辞書を作成することができない場合があった。
【０００５】
本発明は、このような事情を考慮してなされたものであり、商品等のカテゴリごとに適切なブランド辞書を作成することができるブランド辞書作成装置、ブランド辞書作成方法、およびプログラムを提供することを目的の一つとする。
【課題を解決するための手段】
【０００６】
本発明の一態様は、ネットワークを用いて商品またはサービス（以下、商品等）を販売するための販売画面に対して入力されたクエリの集合を取得する取得部と、前記取得されたクエリに含まれるテキストを、前記商品等のカテゴリに対応する規則で絞り込む絞込部と、前記絞込部による絞り込みの結果に基づいて、前記カテゴリごとのブランド辞書を作成する作成部と、を備えるブランド辞書作成装置である。
【発明の効果】
【０００７】
本発明の一態様によれば、商品等のカテゴリごとに適切なブランド辞書を作成することができる。
【図面の簡単な説明】
【０００８】
【図１】商品等評価装置を利用した販売仲介サーバ２００と、ブランド辞書作成装置３００との構成および使用環境の一例を示す図である。
【図２】商品等の販売画面ＩＭ１の一例を示す図である。
【図３】検索結果表示画面ＩＭ２の一例を示す図である。
【図４】商品等表示画面ＩＭ３の一例を示す図である。
【図５】過剰なＳＥＯがなされた商品等表示画面ＩＭ４の一例である。
【図６】商品等データ２２０の内容の一例を示す図である。
【図７】ランキングデータ２２２の内容の一例を示す図である。
【図８】ブランド辞書２４０の内容の一例を示す図である。
【図９】販売仲介サーバ２００の対象語句取得部２３０、ブランド名抽出部２３２、および注意対象商品等特定部２３４により実行される処理の流れの一例を示すフローチャートである。
【図１０】絞込部３１２による処理の内容を説明するための図である。
【図１１】ブランド辞書作成装置３００により実行される処理の流れの一例を示すフローチャートである。
【発明を実施するための形態】
【０００９】
以下、図面を参照し、本発明のブランド辞書作成装置、ブランド辞書作成方法、およびプログラムの実施形態について説明する。
【００１０】
［全体構成］
図１は、商品等評価装置を利用した販売仲介サーバ２００と、ブランド辞書作成装置３００との構成および使用環境の一例を示す図である。販売仲介サーバ２００は、端末装置１００によってアクセスされ、商品またはサービス（以下、商品等）の販売を仲介するための装置であり、いわゆるショッピングサイトやオークションサイトを提供する装置である。ここで、「サイト」とは、ブラウザによって再生されるウェブサイトの他、アプリケーションプログラムによって表示されるアプリ画面を含むものとする。販売仲介サーバ２００の運営者には、商品等の出品者により商品等データが提供される。端末装置１００では、ブラウザやアプリケーションプログラムなどのＵＡ（User Agent）１１０が起動する。ＵＡ１１０は、販売仲介サーバ２００から提供された販売画面を表示すると共に、端末装置１００の利用者によってなされた入力操作に応じたリクエストを販売仲介サーバ２００に送信する。販売仲介サーバ２００は、ＵＡ１１０からのリクエストに応じて商品等の販売を決定する。
【００１１】
また、販売仲介サーバ２００には、ブランド辞書作成装置３００により作成されたブランド辞書が提供される。ブランド辞書とは、ある商品等の紹介画面について原則的に一つのみ掲載される筈のブランド名を集めた電子的な辞書である。図では、販売仲介サーバ２００とブランド辞書作成装置３００が別体であるように示しているが、これらは統合されて一つのハードウェアにより実現されてもよい。
【００１２】
端末装置１００、販売仲介サーバ２００、およびブランド辞書作成装置３００は、ネットワークＮＷを介して互いに通信する。これらの構成要素は、ネットワークＮＷに接続するためのネットワークカード、無線通信モジュールなどを備える。ネットワークＮＷは、例えば、インターネット、ＷＡＮ（Wide Area Network）、ＬＡＮ（Local Area Network）、無線基地局、プロバイダ端末、専用回線などを含む。
【００１３】
［販売仲介サーバ］
販売仲介サーバ２００は、例えば、販売画面提供部２１０と、ランキング処理部２１２と、ログ収集部２１４と、対象語句取得部２３０と、ブランド名抽出部２３２と、注意対象商品等特定部２３４とを備える。これらの構成要素は、例えば、ＣＰＵ（Central Processing Unit）などのプロセッサがプログラム（ソフトウェア）を実行することにより実現される。また、これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェアによって実現されてもよいし、ソフトウェアとハードウェアの協働によって実現されてもよい。
【００１４】
また、販売仲介サーバ２００は、ＲＡＭ（Random Access Memory）やＨＤＤ（Hard Disk Drive）、フラッシュメモリ、ＲＯＭ（Read Only Memory）などの記憶装置に、商品等データ２２０、ランキングデータ２２２、ログ情報２２４、ブランド辞書２４０などのデータを格納している。なお、これらのデータは、販売仲介サーバ２００がネットワークＮＷを介してアクセス可能なＮＡＳ（Network Attached Storage）などに格納されてもよい。
【００１５】
販売画面提供部２１０は、商品等データ２２０およびランキングデータ２２２を参照し、商品等の販売画面を端末装置１００に提供する。図２は、商品等の販売画面ＩＭ１の一例を示す図である。販売画面ＩＭには、商品等を検索するためのクエリを入力するためのクエリ入力欄Ａ１、および、入力されたクエリで検索を実行させるための検索ボタンＢ１が設けられている。クエリ入力欄Ａ１にクエリが入力され、検索ボタンＢ１が操作されると、検索結果表示画面ＩＭ２に遷移する。なお、クエリは一語だけのクエリもあるし、複数の子クエリがスペースなどで結合された複数語を含むクエリもある。
【００１６】
図３は、検索結果表示画面ＩＭ２の一例を示す図である。検索結果表示画面ＩＭ２には、検索結果表示欄Ａ２が含まれる。検索結果表示欄Ａ２には、ランキング処理部２１２によって決定されたクエリごとのランキング順に、商品等の画像や説明が並べて表示される。検索結果表示画面ＩＭにおいて一つの商品等の画像や説明が操作されると、商品等表示画面ＩＭ３に遷移する。
【００１７】
図４は、商品等表示画面ＩＭ３の一例を示す図である。商品等表示画面ＩＭ３には、商品等画像表示欄Ａ３−１、タイトル欄Ａ３−２、商品等説明欄Ａ３−３などが含まれる。タイトル欄Ａ３−２や商品等説明欄Ａ３−３には、製造元、商品の素材、使用、その他の内容が掲載される。このような内容が通常の商品等表示画面ＩＭ３であるが、過剰なＳＥＯがなされた商品等表示画面は、異なる態様を示すものとなる。
【００１８】
図５は、過剰なＳＥＯがなされた商品等表示画面ＩＭ４の一例である。商品等表示画面ＩＭ４では、製造元が「○○社」であるにも関わらず、商品等説明欄Ａ４−３に、無関係なＡ社、Ｂ社、Ｃ社（いずれも○○社と同じカテゴリのブランド名）が掲載されている。この結果、クエリとして「Ａ社」を指定して検索が行われた結果、Ａ社の商品等でないにも関わらず、この商品等が検索にヒットする場合がある。このような商品等の掲載を回避あるいは抑制するために、販売仲介サーバ２００は、ブランド辞書２４０を用いた注意対象商品等の特定処理を実行する。これについては、後述する。
【００１９】
話を戻し、販売画面提供部２１０は、図２〜５に例示した各種表示画面を、商品等データ２２０に基づいて生成する。図６は、商品等データ２２０の内容の一例を示す図である。商品等データ２２０は、商品等の識別情報である商品等ＩＤに対して、商品カテゴリ、商品等画像、タイトル、商品等説明、価格（オークションであれば基準価格または入札価格）、発送条件、その他のデータが対応付けられたものである。
【００２０】
ランキング処理部２１２は、過去に入力されたクエリのそれぞれに対して、種々の基準によりランキング処理を行い、ランキングデータ２２２を生成する。図７は、ランキングデータ２２２の内容の一例を示す図である。ランキングデータ２２２は、例えば、クエリに対して、商品等ＩＤのランキングが対応付けられたものである。ランキングデータ２２２は、例えば、ログ収集部２１４により収集されたログ情報に基づいて、クリック数が多い順、購入数が多い順、ＣＶＲ（Conversion Ratio）が高い順、お気に入り登録数が多い順、または価格が安い順、或いはこれらを組み合わせたスコア順に、高いランキングとする。
【００２１】
ログ収集部２１４は、端末装置１００において入力されたクエリを含む情報であって、端末装置１００からリクエストのあったページを時系列で並べた行動履歴などの情報を、ログ情報２２４として蓄積する。
【００２２】
対象語句取得部２３０は、商品等データ２２０に含まれるデータのうち、商品等ＩＤで示される商品等ごとの対象語句を取得する。対象語句は任意に定めてよいが、例えば、タイトルおよび商品等説明に含まれる語句が対象語句に設定される。
【００２３】
ブランド名抽出部２３２は、ブランド辞書２４０を参照し、対象語句取得部２３０により取得された対象語句の中に含まれるブランド名を抽出する。より具体的に、ブランド名抽出部２３２は、対象語句が取得された元の商品等のカテゴリに合致するブランド名を抽出する。図８は、ブランド辞書２４０の内容の一例を示す図である。ブランド辞書２４０は、例えば、商品等のカテゴリごとにブランド名を列挙したものである。
【００２４】
ブランド名抽出部２３２は、例えば、既に行った検索結果を活かすため、AhoCorasick法などの共通接頭辞検索（Common Prefix Search）を行うことで、辞書中からパターンマッチングを行うオートマトンを構築し、入力テキストに対して線形な計算時間を実現する。
【００２５】
注意対象商品等特定部２３４は、ブランド名抽出部２３２により抽出されたブランド名の数に基づいて、注意対象商品等を特定する。例えば、注意対象商品等特定部２３４は、所定数ｋ以上のブランド名が対象語句に含まれている商品等を、注意対象商品等として特定する。例えばｋ＝２である。
【００２６】
そして、注意対象商品等特定部２３４は、特定した注意対象商品等について、（１）出品者に対する注意を行うため、表示装置に商品等ＩＤを表示させ、あるいは出品者に対して注意する電子メールを生成して送信する、（２）ランキングデータ２２２における当該商品等のランキングを下げる、（３）商品等データ２２０から削除する（出品を取り消す）などの処理を行う。
【００２７】
注意対象商品等特定部２３４は、ブランド名抽出部２３２により特定されたブランド名の数に応じて、上記（１）〜（３）の処理を段階的に行ってもよい。例えば、２つのブランド名が対象語句に含まれている商品等について（１）の処理を、３つのブランド名が対象語句に含まれている商品等について（２）の処理を、４つ以上のブランド名が対象語句に含まれている商品等について（３）の処理を行ってもよい。
【００２８】
また、注意対象商品等特定部２３４は、出品者ごとに、注意対象商品等に該当した商品等の数をカウントし、注意対象商品等に該当した商品等の数に応じて上記（１）〜（３）の処理を段階的に行ってもよい。例えば、注意対象商品等に該当した商品等の数が第１閾値Ｃ１以上第２閾値Ｃ２未満の出品者に対して（１）の処理を、注意対象商品等に該当した商品等の数が第２閾値Ｃ２以上第３閾値Ｃ３未満の出品者の注意対象商品等に対して（２）の処理を、注意対象商品等に該当した商品等の数が第３閾値Ｃ３以上の出品者の注意対象商品等（或いは全ての商品等）に対して（３）の処理を行ってもよい（Ｃ１＜Ｃ２＜Ｃ３）。
【００２９】
図９は、販売仲介サーバ２００の対象語句取得部２３０、ブランド名抽出部２３２、および注意対象商品等特定部２３４により実行される処理の流れの一例を示すフローチャートである。本フローチャートの処理は、任意のタイミングで開始される。
【００３０】
まず、対象語句選択部２３０が、商品等データ２２０から一つの商品等を選択し（Ｓ１００）、対象語句を取得する（Ｓ１０２）。次に、ブランド名抽出部２３２が、Ｓ１０２で取得された対象語句からブランド名を抽出する（Ｓ１０４）。
【００３１】
次に、注意対象商品等特定部２３４が、Ｓ１０４で抽出されたブランド名が所定数ｋ以上であるか否かを判定する（Ｓ１０６）。Ｓ１０４で抽出されたブランド名が所定数ｋ以上である場合、注意対象商品等特定部２３４は、Ｓ１００で選択した商品等を注意対象商品として特定する（Ｓ１０８）。
【００３２】
次に、対象語句選択部２３０が、商品等データ２２０から今回の処理対象である全ての商品等を選択したか否かを判定する（Ｓ１１０）。全ての商品等を選択していない場合はＳ１００に処理が戻され、全ての商品等を選択した場合は本フローチャートの処理が終了する。なお、図９に例示したループ処理は、並列コンピューティングによって同時並行的に実行されてもよい。
【００３３】
このように、販売仲介サーバ２００（商品等評価装置）によれば、ネットワークＮＷを介して販売される商品等の紹介画面に含まれる対象語句を取得する対象語句取得部２３０と、ブランド名を記述したブランド辞書２４０を参照し、対象語句の中に含まれるブランド名を抽出するブランド名抽出部２３２と、ブランド名抽出部２３２により抽出されたブランド名の数に基づいて、注意対象の商品等を特定する注意対象商品等監視部２３４と、を備えることにより、注意対象の商品等を、効率よく発見することができる。なお、対象語句取得部２３０、ブランド名抽出部２３２、および注意対象商品等監視部２３４を合わせたものが「商品等評価装置」の一例である。
【００３４】
なお、上記の説明では、商品等のカテゴリに応じたブランド辞書２４０を用いて注意対象商品等を特定するものとしたが、カテゴリを特定せずに全てのブランド辞書２４０を用いて注意対象商品等を特定してもよい。
【００３５】
［ブランド辞書作成装置］
以下、ブランド辞書２４０を作成するブランド辞書作成装置３００について説明する。ブランド辞書作成装置３００は、例えば、ログ取得部３１０と、絞込部３１２と、作成部３１４とを備える。これらの構成要素は、例えば、ＣＰＵなどのプロセッサがプログラム（ソフトウェア）を実行することにより実現される。また、これらの構成要素のうち一部または全部は、ＬＳＩやＡＳＩＣ、ＦＰＧＡ、ＧＰＵなどのハードウェアによって実現されてもよいし、ソフトウェアとハードウェアの協働によって実現されてもよい。
【００３６】
また、ブランド辞書作成装置３００は、ＲＡＭやＨＤＤ、フラッシュメモリ、ＲＯＭなどの記憶装置に、クエリログ３２０、作成中のブランド辞書３２２などのデータを格納している。なお、これらのデータは、ブランド辞書作成装置３００がネットワークＮＷを介してアクセス可能なＮＡＳなどに格納されてもよい。
【００３７】
ログ取得部３１０は、販売仲介サーバ２２０が蓄積するログ情報２２４のうち、クエリに関する情報を取得し、クエリログ３２０として記憶装置に格納させる。クエリログ３２０に含まれる各クエリには、そのクエリを用いて検索した結果として表示された商品等およびそのカテゴリが付随している。なお、商品等のカテゴリは階層的に付与されている場合があるが、ここではブランド辞書のカテゴリに対応する階層のカテゴリに着目して説明する。
【００３８】
絞込部３１２は、クエリログ３２０に含まれる各クエリに基づいて、クエリに含まれるテキストを、商品等のカテゴリに応じた規則で絞り込む。実施形態におけるテキストとは、例えば、形態素解析などの所定のロジックにより、意味的にひとまとまりであると解釈されるものである。また、スペース等で区切られた子クエリのそれぞれであってもよい。また、テキストは、子クエリを複数結合したものであってもよい。絞込部３１２は、カテゴリによっては、テキストを３文字以上のカタカナに限定するなど、テキストを構成する要素に限定を追加してもよい。
【００３９】
ここで、絞込部３１２は、あるカテゴリのブランド辞書を作成する際に、そのカテゴリ（以下、対象カテゴリ）に対応する商品等が最も多く付随している（すなわちクエリ検索の結果として表示された商品等の多数派がそのカテゴリに対応している）クエリを絞り込みの対象とする。すなわち、絞込部３１２が絞り込みの対象とするクエリ（以下、対象クエリ）は、対象カテゴリを意図していると推認されるクエリである。
【００４０】
図１０は、絞込部３１２による処理の内容を説明するための図である。絞込部３１２は、対象クエリに含まれる各テキストについて、単独でクエリとして入力された回数をｓ０、複数のテキストを含むクエリの中で、一番目に出現した回数をｓ１、二番目に出現した回数をｓ２、三番目以降に出現した回数をｓ３としてカウントする。また、絞込部３１２は、各テキストが対象期間（例えば一年）において出現した日数を併せてカウントする。図１０の例では、テキスト「ａａａ」に関して、一番目に１回出現し、単独で１回出現しているため、ｓ０とｓ１にそれぞれ１が与えられている。
【００４１】
このようにして、対象期間の対象クエリについて、テキストごと且つ出現位置ごとにカウントを行うと、絞込部３１２は、以下に示す各種条件に基づいて絞り込みを行う。
【００４２】
（条件１）
絞込部３１２は、条件式（１）で示すように、出現日数が、基準日数に達しているテキストを残し、そうでないテキストを除外してもよい。式中、Ｄは対象期間の日数であり、Ｔｈ１は閾値である（０＜Ｔｈ１＜１、より好ましくは、Ｔｈ１は０．８〜０．９程度）。これによって、絞込部３１２は、流行語に関連して多数検索されたテキスト（バズワード）などを除外することができる。
（出現日数）≧Ｄ×Ｔｈ１  …（１）
【００４３】
（条件２）
また、絞込部３１２は、条件式（２）で示すように、出現数の合計が、基準値に達しているテキストを残し、そうでないテキストを除外してもよい。式中、Ｔｈ２は閾値である（Ｔｈ２＝１０〜１００程度）。
（ｓ０＋ｓ１＋ｓ２＋ｓ３）≧Ｄ×Ｔｈ２  …（２）
【００４４】
（条件３）
絞込部３１２は、条件式（３）で示すように、特定の位置で多く出現したテキストを残し、そうでないテキストを除外してもよい。式中、Ｔｈ３は閾値である（０＜Ｔｈ３＜１、より好ましくは、Ｔｈ３は０．５以上）。
｛ｓ１／（ｓ０＋ｓ１＋ｓ２＋ｓ３）｝≧Ｔｈ３  …（３）
【００４５】
式（３）で示す条件は、カテゴリによって任意に変更することができる。特に、式（３）の分子は、カテゴリに応じて変更されてよい。式（３）では、複数テキストを含むクエリの一番目に出現した頻度に着目しているが、これは、ファッションのカテゴリに適した規則である。ファッションのカテゴリにおいてクエリ検索を行う場合、一番目にブランド名を入力することが多いという傾向が予め分かっているからである。
【００４６】
作成部３１４は、絞込部３１２による絞り込みの結果、残ったテキストを集めて、ブランド辞書を作成する。ブランド辞書は、例えば販売仲介サーバ２００に提供される。
【００４７】
以下、ブランド辞書作成装置３００により実行される処理の流れについて、フローチャートを用いて説明する。図１１は、ブランド辞書作成装置３００により実行される処理の流れの一例を示すフローチャートである。
【００４８】
まず、ブランド辞書作成装置３００は、対象カテゴリを決定する（Ｓ２００）。対象カテゴリは、例えば外部（オペレータを含む）からの指示に基づいて決定される。次に、絞込部３１２が、対象カテゴリに対応するクエリをクエリログ３２０から抽出する（Ｓ２０２）。
【００４９】
次に、絞込部３１２は、Ｓ２０２で抽出したクエリを一つ選び（Ｓ２０４）、クエリをテキストに分割する（Ｓ２０６）。次に、絞込部３１２は、テキストごとに、出現位置ごとの出現数および出現日数をカウントアップする（Ｓ２０８）。
【００５０】
そして、絞込部３１２は、Ｓ２０４で全てのクエリを選択したか否かを判定する（Ｓ２１０）。全てのクエリを選択していない場合、Ｓ２０４に処理が戻される。
【００５１】
全てのクエリを選択した場合、絞込部３１２は、前述した各種条件に基づいてテキストの絞り込みを行う（Ｓ２１２）。作成部３１４は、絞込部３１２による絞り込みの結果、残ったテキストをブランド名として対象カテゴリの辞書に含める（Ｓ２１４）。なお、図１１に例示したＳ２０４〜Ｓ２１０のループ処理は、並列コンピューティングによって同時並行的に実行されてもよい。
【００５２】
なお、クエリからテキストに分割する手法は、上記の手法に限られない。例えば、「ａａａ  ｂｂｂ  ｃｃｃ」なるクエリの中に含まれる「ａａａ  ｂｂｂ」が、ブランド名として世に広まっているような場合も考えられる。これに対し、ブランド辞書作成装置３００は、「ａａａ  ｂｂｂ  ｃｃｃ」から「ａａａ」、「ｂｂｂ」、「ｃｃｃ」、「ａａａ  ｂｂｂ」、「ｂｂｂ  ｃｃｃ」のように、単純に形態素解析などを行った場合には二つ以上のテキストとなるようなワードも含めて、一つのテキストとして扱ってよい。この場合において、例えば「ａａａ」と「ａａａ  ｂｂｂ」の双方が絞り込みを通過して残った場合、条件式（３）の左辺の値が大きい方を採用し、小さい方を除外してもよい。「ａａａ」よりも「ａａａ  ｂｂｂ」の方が世間の認知度が高い場合、むしろ「ａａａ  ｂｂｂ」を登録した方が適切に過剰なＳＥＯを検出できるからである。
【００５３】
以上説明したブランド辞書作成装置３００によれば、ネットワークＮＷを用いて商品等を販売するための販売画面に対して入力されたクエリの集合を取得するログ取得部３１０と、対象クエリに含まれるテキストを、商品等のカテゴリに対応する規則で絞り込む絞込部３１２と、絞込部３１２による絞り込み結果に基づいて、カテゴリごとのブランド辞書を作成する作成部３１４とを備えることにより、商品等のカテゴリごとに適切なブランド辞書を作成することができる。
【００５４】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００５５】
１００  端末装置
１１０  ＵＡ
２００  販売仲介サーバ
２１０  販売画面提供部
２１２  ランキング処理部
２１４  ログ収集部
２２０  商品等データ
２２２  ランキングデータ
２２４  ログ情報
２３０  対象語句取得部
２３２  ブランド名抽出部
２３４  注意対象商品等特定部
２４０  ブランド辞書
３００  ブランド辞書作成装置
３１０  ログ取得部
３１２  絞込部
３１４  作成部
３２０  クエリログ
３２２  ブランド辞書（作成中）
ＮＷ  ネットワーク
【図１】
2019008425.tif 000003
【図２】
2019008425.tif 000004
【図３】
2019008425.tif 000005
【図４】
2019008425.tif 000006
【図５】
2019008425.tif 000007
【図６】
2019008425.tif 000008
【図７】
2019008425.tif 000009
【図８】
2019008425.tif 000010
【図９】
2019008425.tif 000011
【図１０】
2019008425.tif 000012
【図１１】
2019008425.tif 000013